(57)【要約】【課題】  棒状消しゴム２に対して樹脂材からなる押棒３が強固に取り付けられた棒状消しゴムユニット１を提供することを目的とした。【解決手段】細長い棒状消しゴム２の後部に樹脂材からなる押棒３を装着した棒状消しゴムユニット１であって、棒状消しゴム２の後端部に孔部２ａを形成し、押棒３を孔部２ａに挿着し、孔部２ａの周辺に低粘度の接着剤４を塗布して棒状消しゴム２と押棒３とを固着してなることを特徴とする棒状消しゴムユニット１。【選択図】図２
2012011584.tif 000002
【特許請求の範囲】
【請求項１】
細長い棒状消しゴムの後部に樹脂材からなる押棒を装着した棒状消しゴムユニットであって、前記棒状消しゴムの後端部に孔部を形成し、前記押棒を前記孔部に挿着し、前記孔部の周辺に低粘度の接着剤を塗布して前記棒状消しゴムと前記押棒とを固着してなることを特徴とする棒状消しゴムユニット。
【請求項２】
前記棒状消しゴムの孔部の内径を前記押棒の外径より小さくすることにより、前記押棒の前記孔部への挿入の際に、前記棒状消しゴムの後端部における当該孔部の周辺に凹部を形成し、該凹部に前記接着剤を充填することを特徴とした請求項１に記載の棒状消しゴムユニット。
【請求項３】
前記接着剤が、前記棒状消しゴム及び前記押棒に浸透して接着することを特徴とした請求項１又は２に記載の棒状消しゴムユニット。
【発明の詳細な説明】
【技術分野】
【０００１】
本発明は、棒状の消しゴムの後方に樹脂製の押棒を装着してなる棒状消しゴムユニットに関する。
【背景技術】
【０００２】
従来、特開平１０−２２６１９３号公報に開示されているように、軸筒内に棒状消しゴム繰出体を備えた筆記具は存在しており、この棒状消しゴム繰出体には、長細い棒状消しゴムの後部に針状の押棒を装着した棒状消しゴムユニットが広く採用されている。しかしながら、この棒状消しゴムユニットは消しゴムの使用量をできるだけ多くするために、消しゴムに対して押棒を深く挿入することができず、充分な取付強度を得ることが困難であった。特に棒状消しゴムユニットを交換式とした場合には、棒状消しゴムと押棒とがしっかりと固定されていないと、脱落しないように慎重に取り外しを行わなければはならず交換作業が面倒な場合があった。また棒状消しゴムから押棒が脱落してしまった場合には、細く見つけにくい押棒を探さなければならなかったり、使用者が脱落した押棒を消しゴムに差し込まなければならないという問題が生じた。尚、特開２００７−２５２９３７号公報には、細棒（押棒）から棒状物（棒状消しゴム）の抜け止めを防止するため、また細棒（押棒）が棒状物（棒状消しゴム）をしっかりと押圧できるようにするために、細棒（押棒）の先端部に鍔部を形成したものが開示されている。しかしながら、細い細棒（押棒）の先端に鍔部を設けるのはコストが高くなるという問題があると共に、棒状物が消しゴムのように弾性があるものでは、先端に鍔部を設けてある細棒を棒状物に装着するという加工に手間が掛った。
【先行技術文献】
【特許文献】
【０００３】
【特許文献１】特開平１０−２２６１９３号公報
【特許文献２】特開２００７−２５２９３７号公報
【発明の概要】
【発明が解決しようとする課題】
【０００４】
本発明の目的は、棒状消しゴムに対して樹脂材からなる押棒が強固に取り付けられた棒状消しゴムユニットを提供することを目的とする。
【課題を解決するための手段】
【０００５】
本発明は、
「１．細長い棒状消しゴムの後部に樹脂材からなる押棒を装着した棒状消しゴムユニットであって、前記棒状消しゴムの後端部に孔部を形成し、前記押棒を前記孔部に挿着し、前記孔部の周辺に低粘度の接着剤を塗布して前記棒状消しゴムと前記押棒とを固着してなることを特徴とする棒状消しゴムユニット。
２．前記棒状消しゴムの孔部の内径を前記押棒の外径より小さくすることにより、前記押棒の前記孔部への挿入の際に、前記棒状消しゴムの後端部における当該孔部の周辺に凹部を形成し、該凹部に前記接着剤を充填することを特徴とした１項に記載の棒状消しゴムユニット。
３．前記接着剤が、前記棒状消しゴム及び前記押棒に浸透して接着することを特徴とした１項又は２項に記載の棒状消しゴムユニット。」である。
【０００６】
押棒はアクリル、ポリカーボネート、ポリアセタール、ポリプロピレンなどの樹脂材により形成することができる。特にポリアセタールは柔軟性が針状に形成するのに好ましい。また接着剤は、低粘度で速乾性を有するシアノアクリレート系の接着剤が好ましい。特に接着する対象となる消しゴムや樹脂に浸透する浸透性を有する接着剤が好ましい。
【発明の効果】
【０００７】
棒状消しゴムに押棒を挿着すると共に接着することにより、簡単な構造で棒状消しゴムに押棒を取り付けることができるようになった。また棒状消しゴムの後端部に凹部を形成することにより、接着剤を塗布できる面が増えて接着強度を向上させることができた。尚、接着剤が乾燥して固まった際には、棒状消しゴムの後端で固まった接着剤が鍔部形状になって、棒状消しゴムを面で押圧できるものとなる。さらに接着剤が棒状消しゴムと押棒の表面に浸透することにより接着強度を向上させることができる。
【図面の簡単な説明】
【０００８】
【図１】図１は、本実施例の棒状消しゴムユニットの断面図である。
【図２】図２は、消しゴムユニットの組立て状態を示す図で、図２Ａは分解してある状態、図２Ｂは棒状消しゴムに押棒を挿入している状態、図２Ｃは接着している状態、図２Ｄは接着剤が乾燥した状態である。
【図３】図３は、本実施例の棒状消しゴムユニットを組込んだ状態の消しゴム繰出体の断面図である。
【図４】図４は、消しゴム繰出体を組込んだ状態のスライド繰出式多芯筆記具の断面図である。
【図５】図５は、消しゴム繰出体から棒状消しゴムを繰り出している状態の説明図である。
【発明を実施するための形態】
【０００９】
以下、図面を参照して本発明の実施例を説明する。尚、図面中の同じ部材、同じ部品については同じ番号を付してある。本実施例の説明においては図面の下方を前方と表現し、反対側を後方と表現する。
【実施例】
【００１０】
図１に示すように本実施例の棒状消しゴムユニット１は、棒状消しゴム２の後方に押棒３を装着してある。押棒３は、棒状消しゴム２の後端部に形成した前記押棒３より小径の孔部２ａに挿着してあり、挿着した箇所を接着剤４にて固着してある。また、本実施例の棒状消しゴム２はエラストマーで形成してあり、押棒３はポリアセタールで形成してあり、接着剤４はシアノアクリレート系を用いた。尚、押棒３はポリアセタールで形成してあることから、針形状でも柔軟性があり折れにくいものとなっている。
【００１１】
次に図２を用いて棒状消しゴムユニット１を組立てる工程についての説明を行う。図２Ａは棒状消しゴム２の孔部２ａに押棒３を上方から挿入する前の分解した状態の図である。本実施例では押棒３の直径Ｄを０．５ｍｍとし、直径２．３ｍｍの棒状消しゴム２に穿孔した孔部２ａの内径ｄを０．４ｍｍとして、棒状消しゴム２に対して押棒３を圧入させる構造した。図２Ｂは棒状消しゴム２の孔部２ａの上部より押棒３の先端を挿入している状態の図である。前述の通り、押棒３の外径Ｄに対して孔部２ａの内径ｄが小さいことから、押棒３の挿入に伴い棒状消しゴム２の孔部２ａの周辺が円錐形状に変形し、図２Ｂに示すように棒状消しゴム２の後端部には円錐形状の凹部２ｂが形成される。図２Ｃは孔部２ａの周辺に塗布具４０にて接着剤４を塗布している状態の図である。本実施例では接着剤４として粘度が３ｍＰａ・ｓである低粘度の接着剤（株式会社アルテコ製、製品名：８８）を用いていることから、接着剤４が棒状消しゴム２の円錐形状の凹部２ｂに入り込んで接着面積を増やすことができる。図２Ｄは接着剤が乾燥して接着が完了した状態の図であり、接着剤４が棒状消しゴム２に浸透した浸透部分２ｃと、接着剤４が押棒３に浸透した浸透部分３ａとの箇所にて、棒状消しゴム２と押棒３とを強固に接着することができた。さらに固まった接着剤４には鍔部４ａができて、棒状消しゴム２を面で押圧したり、消去時の加重を鍔部４ａで受けることが可能となった。
【００１２】
次に、図３〜図５を用いて、棒状消しゴムユニット１の使用方法について説明を行う。
図３は、棒状消しゴムユニット１を消しゴム繰出体１０に組込んだ状態の図である。
図３を用いて消しゴム繰出体１０を詳述すると、スライダ１０ａに連結した軸部材２０の前方には、棒状消しゴム繰出機構部２１を設けてあり、棒状消しゴム繰出機構部２１は、軸部材２０に嵌着した継手部材２２と、継手部材２２の前方部を摺動可能に内在させた後部外筒２３と、後部外筒２３の雄螺子部２３ａに雌螺子部２４ａを螺合させた前部外筒２４と、前部外筒２４の先端部を圧入させたガイドパイプ２５とで外側を構成してある。また継手部材２２の前方開口部２２ａには、軸心に沿った複数のスリット（図示せず）を前方に設けると共に、チャック部材２６の後端圧入部２６ａを圧入して固定してあり、チャック部材２６の外周にコイルスプリング２７を配設して、コイルスプリング２７の前後端を後部外筒２３の段部２３ｂと継手部材２２の前端に当接させることにより、チャック部材２６を常時後方へ弾発してある。またチャック部材２６の前端部には、チャック部材２６の弾性力により外方へ拡がるように設定した締め部２６ｂを設けてあり、前部外筒２６の内部に配設した締めリング２８により楔状の締め部２６ｂを締め付けるようにして、軸心に配した押棒３を保持させ、前部外筒２４の前方内面に装着したパッキン２９により押棒３を挟持させる構造としてある。
【００１３】
図４は、図３の消しゴム繰出体１０をスライド式多芯筆記具１００に組込んだ状態の図である。図５は、消しゴム繰出体１０から棒状消しゴム２を繰り出している状態の図である。図４に示すように、スライダ１０ａをスライドさせて棒状消しゴム２を軸筒１０１の先端開口部１０２から突出させた状態で、スライダ１０ａをノック操作すると、図５に示すように、軸部材２０を介して継手部材２２の突出部２２ｂが後部外筒２３の後端に当接するまで継手部材２２が押圧され、継手部材２２に連結したチャック部材２６を前進させ、締め部２６ｂを締め付けている締めリング２８の後端が後部外筒２３の前端に当接した状態から、締めリング２８の前端が前部外筒２４の内面に形成した段部２４ｂに当接して締め部２６ｂを開放するまで押棒３を前進させ、締めリング２８の移動距離Ｌ分だけ棒状消しゴム２を突出できる構造である。パッキン２９は一時的にチャック部材２６から解放された押棒３を挟持して、棒状消しゴム２がガイドパイプ２５から自重で抜け落ちてしまうことを防止している。尚、図４に示した棒状消しゴム２を軸筒１０１の先端開口部１０２に没入させるには、前方にシャープペンシル体１１を装着したスライダ１１ａをコイルスプリング３０ｂの弾発力に抗してスライドすることで、スライダ１０ａと軸筒２内に形成した段部１０３との係止状態を解除して、コイルスプリング３０ａの弾発力により消しゴム繰出体１０が後退して、棒状消しゴム２を没入させることができる。
【産業上の利用可能性】
【００１４】
本発明の棒状消しゴムユニットは、シャープペンシルなどの筆記体と組み合わせた多芯筆記具への使用だけでなく、消しゴム繰出体として単体で機能する消しゴムホルダーに使用することも可能である。
【符号の説明】
【００１５】
１…棒状消しゴムユニット、
２…棒状消しゴム、２ａ…孔部、２ｂ…凹部、２ｃ…浸透部分、
３…押棒、３ａ…浸透部分、
４…接着剤、４ａ…鍔部、４０…塗布具、
１０…消しゴム繰出体、１０ａ…スライダ、
１１…シャープペンシル体、１１ａ…スライダ、
２０…軸部材、２１…棒状消しゴム繰出機構部、
２２…継手部材、２２ａ…前方開口部、２２ｂ…突出部、
２３…後部外筒、２３ａ…雄螺子部、２３ｂ…段部、
２４…前部外筒、２４ａ…雌螺子部、２４ｂ…段部、
２５…ガイドパイプ、
２６…チャック部材、２６ａ…後端圧入部、２６ｂ…締め部、
２７…コイルスプリング、
２８…締めリング、
２９…パッキン、
３０ａ…コイルスプリング、３０ｂ…コイルスプリング
１００…スライド式多芯筆記具、
１０１…軸筒、１０２…先端開口部、
１０３…段部。
【図１】
2012011584.tif 000003
【図２】
2012011584.tif 000004
【図３】
2012011584.tif 000005
【図４】
2012011584.tif 000006
【図５】
2012011584.tif 000007